(57)【要約】【課題】低圧排気ガス再循環装置において、還流ガスを効率的に冷却しながら、吸気冷却装置内での結露を防止する。【解決手段】内燃機関Ｅの排気通路から排気の一部を吸気通路に配置した吸気冷却装置６の上流側へ還流させる排気還流通路１３と、排気還流通路１３に設けられ通過する還流ガスを冷却する還流ガスクーラ１０と、還流ガスクーラ１０の壁面温度を検出する壁面温度検出装置１２と、還流ガスクーラ１０の壁面温度を制御する還流ガスクーラ制御手段２０とを備え、還流ガスクーラ制御手段２０は、壁面温度検出装置１２により検出される還流ガスクーラ１０の壁面温度が、吸気冷却装置６の壁面温度に近似する大気温度以下になるように制御する。還流ガスの冷却の目標温度を吸気冷却装置６の壁面温度とすることで過度な冷却を防止し、還流ガスを効率的に冷却しながら、吸気冷却装置内での結露を防止することができる。【選択図】図１
2015001162.tif 000002
【特許請求の範囲】
【請求項１】
内燃機関の排気通路から排気の一部を吸気通路に配置した吸気冷却装置の上流側へ還流させる排気還流通路と、
前記排気還流通路に設けられ通過する還流ガスを冷却する還流ガスクーラと、
前記還流ガスクーラの壁面温度を検出する壁面温度検出装置と、
前記還流ガスクーラの壁面温度を制御する還流ガスクーラ制御手段とを備え、
前記還流ガスクーラ制御手段は、前記壁面温度検出装置により検出される前記還流ガスクーラの壁面温度が、前記吸気冷却装置の壁面温度以下になるように制御することを特徴とする内燃機関の排気ガス再循環装置。
【請求項２】
大気温度を検出する大気温度検出装置をさらに備え、
前記還流ガスクーラ制御手段は、前記吸気冷却装置の壁面温度を前記大気温度に基づいて推定することを特徴とする請求項１に記載の内燃機関の排気ガス再循環装置。
【請求項３】
大気温度を検出する大気温度検出装置をさらに備え、
前記吸気冷却装置の壁面温度を前記大気温度に等しいと推定し、前記還流ガスクーラ制御手段は、前記還流ガスクーラの壁面温度が前記大気温度以下になるように制御することを特徴とする請求項１又は２に記載の内燃機関の排気ガス再循環装置。
【請求項４】
前記還流ガスクーラは前記内燃機関を冷却する冷媒とは別系統の冷媒を用いた熱交換器を備え、
前記還流ガスクーラ制御手段は前記熱交換器を制御することを特徴とする請求項１から３のいずれかに記載の内燃機関の排気ガス再循環装置。
【発明の詳細な説明】
【技術分野】
【０００１】
内燃機関の排気ガス再循環装置に関する。
【背景技術】
【０００２】
内燃機関から排出される排気ガスに含まれる窒素酸化物（ＮＯｘ）を低減するため、排気ガスの一部を燃焼室に還流する排気ガス再循環装置が用いられる。
【０００３】
このような排気ガス再循環装置において、窒素酸化物の発生をさらに低減するために、燃焼室に還流される排気ガス（以下、「還流ガス」と称する）の温度を、例えば、特許文献１に示す還流ガス用の冷却装置（以下、「還流ガスクーラ」と称する）によって低下させている。
【０００４】
また、還流ガスの温度を低減するために、過給器の排気タービンや触媒の下流側から還流ガスを取り出す低圧排気ガス再循環装置もある。
低圧排気ガス再循環装置では、還流通路に還流ガスクーラを備えるほか、還流ガスが吸気に再還流した後、インタークーラ等の吸気冷却装置を通過させるなど、さらなる冷却処理を施している。
【０００５】
しかしながら、上述のような吸気冷却装置は空冷の場合がほとんどであり、寒冷時には吸気冷却装置内の壁面温度が、還流ガス中の水蒸気の露点以下に低下してしまう場合がある。このため、還流ガスに含まれる水蒸気が吸気冷却装置の壁面に結露することがある。この結露が続くと、水分が吸気通路内部に滞留することとなり、各部部材の耐久性を低下させるので好ましくない。
【０００６】
特許文献２では、高圧排気ガス再循環装置において、排気還流通路に並列する２つの還流ガスクーラを配置し、両還流ガスクーラに供給される還流ガス量の比を調整することで、少なくとも一方の還流ガスクーラから流出する還流ガスの温度が露点温度以下になるように制御し、還流ガス中の水蒸気をある程度凝縮させ除去している。
【先行技術文献】
【特許文献】
【０００７】
【特許文献１】特開平１０−２３８４１号公報
【特許文献２】特開２０１１−１７９３５３号公報
【発明の概要】
【発明が解決しようとする課題】
【０００８】
特許文献２は、還流ガス中に含まれる水蒸気をある程度凝縮させ除去することができる。しかし、並列する還流ガスクーラの少なくとも一方を通過する還流ガスの温度を、露点温度以下に制御するに留まる。
【０００９】
このため、この装置を低圧排気ガス再循環装置に適用すると、還流ガス中になお残存する水蒸気が、吸気冷却装置（インタークーラ等）内で凝縮し結露する可能性がある。低圧排気ガス再循環装置は、還流ガスを吸気冷却装置の上流側に還流するからである。
また、特許文献２は、還流ガスの温度を露点温度以下に下げることを目標としているので、還流ガス中の水蒸気が必ずしも吸気冷却装置内で凝縮しない場合でも露点温度に冷却され、その結果、還流ガスは必要以上に冷却されることとなる。
【００１０】
そこで、この発明の課題は、低圧排気ガス再循環装置において、還流ガスを効率的に冷却しながら、吸気冷却装置内での結露を防止することである。
【課題を解決するための手段】
【００１１】
上記の課題を解決するために、この発明の排気ガス再循環装置は、内燃機関の排気通路から排気の一部を吸気通路に配置した吸気冷却装置の上流側へ還流させる排気還流通路と、前記排気還流通路に設けられ通過する還流ガスを冷却する還流ガスクーラと、前記還流ガスクーラの壁面温度を検出する壁面温度検出装置と、前記還流ガスクーラの壁面温度を制御する還流ガスクーラ制御手段とを備え、前記還流ガスクーラ制御手段は、前記壁面温度検出装置により検出される前記還流ガスクーラの壁面温度が、前記吸気冷却装置の壁面温度以下になるように制御することを特徴とする。
【００１２】
この構成において、前記吸気冷却装置の壁面温度の情報は、例えば、吸気冷却装置に温度検出装置を設けることで取得することができるが、前記還流ガスクーラ制御手段が、前記吸気冷却装置の壁面温度を大気温度検出装置によって検出された大気温度に基づいて推定するようにしてもよい。
【００１３】
前記吸気冷却装置の壁面温度を大気温度に基づいて推定する際、予め、吸気冷却装置の壁面温度と大気温度との関係を測定データ等に基づいて算出しておき、実際に検出した大気温度の情報に基づいて、吸気冷却装置の壁面温度を推定する手法とできる。
また、吸気冷却装置の壁面温度は大気温度に近似しているので、前記吸気冷却装置の壁面温度を大気温度に等しいと推定し、前記還流ガスクーラ制御手段は、前記還流ガスクーラの壁面温度が前記大気温度以下になるように制御する手法としてもよい。
【００１４】
前記還流ガスクーラの壁面温度の制御は、還流ガスクーラに対して種々の冷却作用を付与することで行うことができる。例えば、還流ガスクーラに隣接してモータ等によって回転する冷却ファンを設け、冷却ファンの回転の有無（オン、オフ）、又は回転速度の増減によって、還流ガスクーラの壁面温度を制御する手法がある。
また、還流ガスクーラが前記内燃機関を冷却する冷媒とは別系統の冷媒を用いた熱交換器を備えるものとし、前記還流ガスクーラ制御手段は熱交換器に対する冷媒の供給を制御して、還流ガスクーラの壁面温度を制御する手法もある。冷媒を用いれば、温度の制御が迅速で且つ容易である。冷媒を用いた熱交換器と冷却ファンとを併用してもよい。
【００１５】
ここで、還流ガスクーラの壁面温度とは、還流ガスクーラを通過する還流ガスの温度にできる限り近い部分における還流ガスクーラの部材の温度であればよく、例えば、還流ガスクーラの熱交換器が備える冷却フィンの温度にすることができる。また、大気温度は、内燃機関外の大気中の温度を測定するために、適宜の位置に大気温度検出装置を設置する。還流ガス合流前の吸気であれば大気温度と同じ温度であるので、内燃機関の吸気通路内の還流ガス合流前の場所に、大気温度検出装置を設置してもよい。これらの各温度検出装置としては、熱電対等の温度センサを用いることができる。
【発明の効果】
【００１６】
この発明によれば、還流ガスクーラ制御手段が、還流ガスクーラの壁面温度が吸気冷却装置の壁面温度以下になるように制御するので、還流ガス中の水蒸気が吸気冷却装置内で凝縮することを防止できる。また、還流ガスの冷却目標温度が吸気冷却装置の壁面温度であるので過度な冷却を防止し、還流ガスを効率的に冷却しながら、吸気冷却装置内での結露を防止することができる。
【図面の簡単な説明】
【００１７】
【図１】この発明の一実施形態を示す全体図である。
【図２】図１の変形例を示す全体図である。
【図３】この発明の還流ガスクーラの制御を示すフロー図である。
【図４】（ａ）（ｂ）は、図１の変形例を示す還流ガスクーラの出口付近の要部拡大図である。
【発明を実施するための形態】
【００１８】
この発明の実施形態を、図面に基づいて説明する。図１は、この発明の排気ガス再循環装置を備えた内燃機関Ｅの構成を示す全体図である。
【００１９】
内燃機関Ｅは自動車用エンジンであり、図１に示すように、ピストンを収容した気筒内に混合気を送り込む吸気ポートに通じる吸気通路１、排気ポートから引き出された排気通路２、燃料噴射装置等を備えている。吸気ポート及び排気ポートは、それぞれバルブによって開閉される。
【００２０】
吸気通路１には、吸気ポートから上流側に向かって、吸気通路１の流路面積を調節する第一のスロットルバルブ５、吸気通路１を流れる吸気を冷却する吸気冷却装置６（以下、「インタークーラ６」と称する）、ターボチャージャのコンプレッサ１７、吸気通路１の流路面積を調節する第二のスロットルバルブ１５、エアクリーナを収容したケース１８等が設けられる。エアクリーナケース１８内には、大気温度検出装置１９として管内の吸気温度を検出できる温度センサが設けられている。
【００２１】
排気通路２には、排気ポートから下流側に向かって、ターボチャージャのタービン７、排気中の窒素酸化物（ＮＯｘ）等を除去する触媒等を備えた排気浄化部８、消音器（マフラ）９が設けられる。
【００２２】
排気通路２のタービン７と排気ポートとの中途部分と、吸気通路１の吸気ポートと第一のスロットルバルブ５との中途部分は、高圧排気ガス再循環装置Ｈを構成する高圧排気還流通路３によって連通している。高圧排気還流通路３を介して、内燃機関Ｅから排出される排気ガスの一部が、還流ガスとして吸気通路１に還流する。高圧排気還流通路３には高圧排気還流弁４が設けられている。
高圧排気還流弁４の開閉と第一のスロットルバルブ５の開閉に伴う吸気通路１内の圧力状態に応じて、還流ガスが吸気通路１内の吸気に合流する。
【００２３】
また、排気通路２の排気浄化部８と消音器９との中途部分と、吸気通路１のコンプレッサ１７と第二のスロットルバルブ１５との中途部分は、低圧排気ガス再循環装置Ｌを構成する低圧排気還流通路１３によって連通している。低圧排気還流通路１３を介して、内燃機関Ｅから排出される排気ガスの一部が、還流ガスとして吸気通路のインタークーラ６の上流側に還流する。この低圧排気還流通路１３には低圧排気還流弁１４が設けられている。そして、低圧排気還流弁１４の開閉と第二のスロットルバルブ１５の開閉に伴う吸気通路１内の圧力状態に応じて、還流ガスが吸気通路１内の吸気に合流する。
【００２４】
低圧排気ガス再循環装置Ｌの低圧排気還流通路１３には、還流ガスを冷却する還流ガスクーラ１０が設けられている。還流ガスクーラ１０には、還流ガスクーラ１０の壁面温度を検出する壁面温度検出装置１２が設けられている。この実施形態では、壁面温度検出装置１２は熱電対からなる温度センサを採用している。壁面温度検出装置１２は、還流ガスクーラ１０の熱交換器１１が備える冷却フィンに取付けられ、冷却フィンの温度を検出することができる。
【００２５】
この実施形態では、還流ガスクーラ１０として、冷媒として冷却水を用いた熱交換器１１を備えた水冷式冷却装置１６が用いられている。冷却装置１６は、内燃機関Ｅの燃焼室周囲のシリンダーヘッドやシリンダーブロック等を、冷却水等の冷媒によって冷却する装置とは別系統に設けられる。すなわち、熱交換器１１に導入する冷却水は、内燃機関Ｅのシリンダに流通する冷却水とは別系統のものであり、冷却装置１６は、その別系統の冷媒が通る環状の通路１６ｃの一部が、熱交換器１１内の還流ガスの通路に面して配設されている。通路１６ｃの途中には、冷媒冷却装置１６ｂと冷媒の循環ポンプ１６ａが設けられている。
【００２６】
壁面温度検出装置１２により検出された還流ガスクーラ１０の壁面温度、大気温度検出装置１９により検出された大気温度の情報は、それぞれケーブル１２ａ，１９ａを通じて、コンピュータ（Ｅｌｅｃｔｒｏｎｉｃ  Ｃｏｎｔｒｏｌ  Ｕｎｉｔ）に備えられた還流ガスクーラ制御手段２０へ送られる。
【００２７】
還流ガスクーラ制御手段２０は、取得された還流ガスクーラ１０の壁面温度の情報、大気温度の情報に基づいて、還流ガスクーラ１０の壁面温度が所定の温度になるように制御する。壁面温度の制御は、還流ガスクーラ制御手段２０が、ケーブル１６ｄを通じて、熱交換器の冷媒冷却装置１６ｂや循環ポンプ１６ａに指令を出して行う。
【００２８】
また、図２に示す変形例のように、空冷式の熱交換器１１とすることもできる。ここでは、冷却装置１６として電動の冷却ファン等を配置し、還流ガスクーラ制御手段２０がケーブル１６ｅを通じて制御を行うようにしている。ここで、前述の水冷式の熱交換器１１に、電動の冷却ファンを併用してもよい。
【００２９】
還流ガスクーラ制御手段２０による還流ガスクーラ１０の制御は、図３に示すフロー図に基づいて行われる。
【００３０】
まず、大気温度検出装置１９が大気温度ＴＡの情報を取得する（図３のステップＳ１参照）。つぎに、壁面温度検出装置１２が、還流ガスクーラ１０の壁面温度ＴＷの情報を取得する（図３のステップＳ２参照）。
【００３１】
還流ガスクーラ制御手段２０は、還流ガスクーラ１０の壁面温度ＴＷがインタークーラ６の壁面温度以下になるように、すなわち、還流ガスクーラ１０の壁面温度ＴＷが大気温度ＴＡ以下になるように制御する。この実施形態では、インタークーラ６の壁面温度は大気温度ＴＡとほぼ同等であるので、インタークーラ６の壁面温度を大気温度に等しいと推定するように設定され、その設定に基づき、還流ガスクーラ制御手段２０は制御を行っている。
【００３２】
ここで、予め、インタークーラ６の壁面温度と大気温度ＴＡとの関係を測定データ等に基づいて算出しておき、実際に検出した大気温度ＴＡの情報に基づいて、還流ガスクーラ制御手段２０がインタークーラ６の壁面温度を推定する手法としてもよい。
【００３３】
還流ガスクーラ１０の壁面温度ＴＷが大気温度ＴＡ以上であれば、還流ガスクーラ制御手段２０は、還流ガスクーラ１０の熱交換器の循環ポンプ１６ａを稼働させ、さらに、冷却ファンを用いている場合は冷却ファンを回転させ、冷却作用を続行させる（図３のステップＳ３，Ｓ４参照）。還流ガスクーラ１０の壁面温度ＴＷが大気温度ＴＡ以下になれば、還流ガスクーラ制御手段２０は、循環ポンプ１６ａを停止させ、さらに、冷却ファンを用いている場合は冷却ファンの回転を停止させ、還流ガスクーラ１０の冷却作用を停止させる（図３のステップＳ３，Ｓ５参照）。
【００３４】
還流ガスは、還流ガスクーラ１０の熱交換器１１のコアの内面に触れることで冷却されるので、還流ガスクーラ１０の壁面温度ＴＷが大気温度ＴＡ以下になれば、還流ガスも大気温度ＴＡ以下に冷却されている。すなわち、還流ガスは、インタークーラ６の壁面温度以下に冷却されている。このため、還流ガス中の水蒸気がインタークーラ６で凝縮することを防止できる。
【００３５】
このように、還流ガス中の水蒸気の一部を、吸気系に還流させる前に結露させ除去することで、インタークーラ６内での結露を防止できるので、吸気系への液化した水の浸入を排除できる。このため、液体の水が、ブローバイガスや高圧還流ガス等に含まれる各種成分と結合してデポジット化されることを抑制できる。
【００３６】
還流ガスクーラ１０で液化した水蒸気は、排気系の消音器９側に設けたテールパイプから外部へ排出される。
【００３７】
また、還流ガスの冷却目標温度がインタークーラ６の壁面温度であるので、還流ガスが必要以上に冷却されることがない。例えば、還流ガスの露点温度がインタークーラ６の壁面温度以下である場合を想定する。この場合、還流ガスを露点温度にまで冷却する必要はなく、少なくともインタークーラ６の壁面温度にまで冷却すれば、インタークーラ６内での結露は防止できる。このため、還流ガス冷却の目標温度をインタークーラ６の壁面温度とすることで、還流ガスに対する過度な冷却を防止できる。
【００３８】
これらの各実施形態において、図４に示す還流ガスクーラ１０を採用してもよい。図４の還流ガスクーラ１０は、下流側（吸気側）及び上流側（排気側）に接続される低圧排気還流通路１３が上下方向を向いていることから、還流ガスクーラ１０で結露した水滴が下流側（吸気側）へ向かわないように、還流ガスクーラ１０の上方に水の浸入防止手段を設けたものである。
【００３９】
図４（ａ）の例は、水の浸入防止手段を、還流ガスクーラ１０の上方の開口に設けられるもんどり形状のフィン１３ａで構成したものである。もんどり形状のフィン１３ａは、還流ガスクーラ１０の出口側から内部へ向かって（上方から下方へ向かって）徐々に狭まる漏斗状の部材となっており、液化した水蒸気は漏斗状の部材の内側に入りにくい構造としている。フィン１３ａの下面、すなわち、漏斗状の部材の外面に付着した水蒸気は、そのまま下方へ落下する。
【００４０】
図４（ｂ）の例は、水の浸入防止手段を、還流ガスクーラ１０の上方の開口に設けられるもんどり形状のフィルタ１３ｂによって形成したものである。フィルタ１３ｂは、触媒の破片等が吸気系過給器のコンプレッサ１７等に到達しないように保護する還流ガスフィルタとしても機能する。
【００４１】
フィルタ１３ｂは、還流ガスクーラ１０の出口側から内部へ向かって（上方から下方へ向かって）徐々に狭まる漏斗状、あるいは、コーン状の部材となっており、その下端は閉じられている。これにより、液化した水蒸気はフィルタ１３ｂを通過しない限り上方へ浸入することができず、吸気側に水滴が入りにくい構造としている。フィルタの外面に付着した水蒸気は、そのまま下方へ落下する。
【００４２】
このように、水の浸入防止手段としてのフィン１３ａやフィルタ１３ｂを、上方から下方へ向かって徐々に狭まる形状とすることで、結露した水が吸気側に浸入することを確実に防止できる。
【符号の説明】
【００４３】
１  吸気通路
２  排気通路
３  高圧排気還流通路
４  高圧排気還流弁
５  第一のスロットルバルブ
６  吸気冷却装置（インタークーラ）
７  タービン
８  排気浄化部
９  消音器
１０  還流ガスクーラ
１１  熱交換器
１２  壁面温度検出装置
１３  低圧排気還流通路
１４  低圧排気還流弁
１５  第二のスロットルバルブ
１６  冷却装置
１９  大気温度検出装置
２０  還流ガスクーラ制御手段
【図１】
2015001162.tif 000003
【図２】
2015001162.tif 000004
【図３】
2015001162.tif 000005
【図４】
2015001162.tif 000006